(57)【要約】【課題】  本発明の目的は、手や上腕部の保護に加え、竹刀や木銃等の武具を握った状態で、手首が内側方向はもちろん、外側方向、すなわち甲をそらせる方向にも、より曲げ易い操作性のよい武道用小手を提供することにある。【解決手段】  本発明の武道用小手１は、手が挿入される頭部４と、頭部４に連接して縫い合わされ下部側が開放されている手首部５と、手首部５に連接して縫い合わされ開放されている下部６側が小手紐７で結ばれるようになっている小手布団８とを有し、小手布団８の手首部５との連接縁部は直線状でかつ長さａを有し、手首部５の小手布団８との連接縁部はその長さが小手布団８の連接縁部の長さａよりも短いｂであってかつ展開形状において小手布団８と反対側に曲線状に凹んでいて、手首部５と小手布団８の連接縁部はその両端位置が一致するように縫い合わされている。【選択図】図２
2010099425.tif 000002
【特許請求の範囲】
【請求項１】
小手頭と手の内からなり手が挿入される頭部と、該頭部に連接して縫い合わされ下部側が開放されている手首部と、該手首部に連接して縫い合わされ開放されている下部側が小手紐で結ばれるようになっている小手布団とを有する武道用小手であって、前記小手布団の前記手首部との連接縁部は直線状でかつ長さａを有し、前記手首部の前記小手布団との連接縁部はその長さが前記小手布団の連接縁部の長さａよりも短いｂであってかつ展開形状において前記小手布団と反対側に曲線状に凹んでいて、前記手首部と前記小手布団の各連接縁部はその両端位置が一致するように縫い合わされていることを特徴とする武道用小手。
【請求項２】
前記小手布団は内部に挿入されている平板状の殻材を綿布で覆った材料からなっていて、かつ前記殻材は前記手首部との連接縁部に向かって先鋭するテーパーを有していることを特徴とする請求項１記載の武道用小手。
【請求項３】
前記手首部の前記小手布団との連接縁部において、曲線状の凹みがない場合の仮想線から、曲線状の凹みの最も深い位置までの距離Ｈが１０〜２０ｍｍであることを特徴とする請求項１または請求項２いずれかに記載の武道用小手。
【発明の詳細な説明】
【技術分野】
【０００１】  本発明は、例えば、剣道とか銃剣道等を行う際に、拳や手首及び上腕部を覆って保護する武道用小手に関するものである。
【背景技術】
【０００２】  この種の武道用小手に関しては、相手の竹刀あるいは木銃等の武具による打撃から拳や手首あるいは上腕部を適切に保護すると共に、これを装着して練習あるいは試合を行う際に、竹刀や木銃等の武具を握り易く、かつ手首が返し易いといった竹刀等の操作性の良いものが求められている。
そのため武道用小手を構成する材料の改良、例えば、内側に充填するフェルト等の緩衝材の改良、緩衝材の充填量の調整、またこの武道用小手を構成する主要部である頭部、手首部及び小手布団の形状、縫製にも種々の工夫や改良がなされてきた。【０００３】  ところで一般的には、安全性の面から、相手の竹刀あるいは木銃等の武具による打撃から拳や手首あるいは上腕部を保護することが第一に考えられているため、前述した頭部、手首部及び小手布団を形成する材料は、柔らかく柔軟性のあるものよりも、厚く剛性の高いものが使用されることが多い。
厚く剛性の高い布地のものは縫製が難しくなることから、例えば、手首部と小手布団を縫い合わせる連接縁部は、より縫製が行い易いように概して直線状に形成され、直線状に縫い合わせられていることが多い。そのため縫い合わせた連接縁部近傍は柔軟性に欠け、その結果、手首が曲がり難い等、操作性が悪くなる、という問題を有している。
具体的には、例えば、手首部と小手布団が直線状に縫製されていると、縫い合わせられた連接縁部近傍は硬く、変形し難くなる。その結果、静止状態で構えた状態から、一転、相手の攻撃に対応すべく、応じたり、払ったりする場合に求められる変幻自在の動きが制約される、という課題がある。【０００４】  換言すれば、相手の攻撃に応じたり、払ったり、そしてこちらから相手の隙に乗じて一瞬に反撃できるものであって、仮に武道用小手を装着していても、装着していることを感じさせないような自然の動きができるものが理想的な武道用小手である、と言える。
このような武道用小手として、特に手首がより自由に動かせるものが求められており、従来から種々の改良が提案されてきた（特許文献１）。【０００５】  この特許文献１に開示されているものは、図６に示すように、手首部と小手布団とを縫い合わせる連接部（両者を糸で縫い合わせる部分及びその近傍をいう）において、小手布団８側の連接縁部１１（連接部の先端）を手首部側と反対方向に矢印１２が示すように曲線状に凹ませ、この状態で手首部と小手布団８との連接縁部１１の近傍同士を縫い合わせたものである。因みに、図６において二点鎖線は小手布団８の連接縁部１１の両端を結んだ線、すなわち、凹みを形成しなかった場合の小手布団８の連接縁部１１の位置を示す仮想線１３を示している。
このように特許文献１に開示されている発明によれば、小手布団８の手首部との連接縁部１１に曲線状の凹部を設けたことで、例えば、竹刀を握っている手の手首が外側（甲側）により返せるようになった、すなわち、手返しがより自由に行えるようになった、という効果が得られる、としている。【０００６】
【特許文献１】  特開２００７−５４４４４号公報
【発明の開示】
【発明が解決しようとする課題】
【０００７】  ところで、武道用小手を操作する動的形態は、単に一方向にとどまらず、かつその動きは直線的なものも含め曲線的な動きも考慮に入れる必要がある。換言すると、人間の手首の可動範囲すべてにおいて、より滑らかに動かすことのできる武道用小手が要求されている。
因みに、特許文献１に開示されている武道用小手の小手布団８の凹みの最深部方向への曲がりは、小手布団８の連接部の先端である連接縁部１１の硬い部分までであり、しかも曲げたことにより手首部側の連接部に発生するシワによる抵抗も相俟って、その効果は限定的といわざるを得ない。【０００８】  上記問題に鑑み本発明の目的は、手や上腕部の保護はもちろんのこと、竹刀や木銃等の武具を握った状態で、手首が内側方向はもちろん、外側方向、すなわち甲をそらせる方向、さらにはこれらの方向以外も含め、より曲げ易い操作性のよい武道用小手を提供することにある。
【課題を解決するための手段】
【０００９】  前記目的を達成すべく本発明の請求項１記載の武道用小手は、小手頭と手の内からなり手が挿入される頭部と、該頭部に連接して縫い合わされ下部側が開放されている手首部と、該手首部に連接して縫い合わされ開放されている下部側が小手紐で結ばれるようになっている小手布団とを有する武道用小手であって、前記小手布団の前記手首部との連接縁部は直線状でかつ長さａを有し、前記手首部の前記小手布団との連接縁部はその長さが前記小手布団の連接縁部の長さａよりも短いｂであってかつ展開形状において前記小手布団と反対側に曲線状に凹んでいて、前記手首部と前記小手布団の各連接縁部はその両端位置が一致するように縫い合わされていることを特徴とするものである。【００１０】  このようにしてなる本発明の請求項１記載の武道用小手によれば、前記小手布団の前記手首部との連接縁部は直線状でかつ長さａを有し、前記手首部の前記小手布団との連接縁部はその長さが前記小手布団の連接縁部の長さａよりも短いｂであって、かつ展開形状において前記小手布団と反対側に曲線状に凹んでいて、前記手首部と前記小手布団の連接縁部はその両端位置が一致するように縫い合わされているため、この長さの違いから両者を縫い合わせると、小手布団側の連接部が手首部側に絞り込まれる。
その結果、小手布団側の手首部との連接部において、手首部側の内径よりも小手布団側の内径が若干大きくなる。そのため手首を外側に曲げた際、手首部分の周辺の空間が従来のものより広くなって、手首の外側への曲げの自由度が高まる。また空間が広くなった分、手首を外に曲げた際、小手布団の連接縁部が手の甲に当り難くなる。【００１１】  また本発明の請求項２記載の武道用小手は、請求項１記載の武道用小手において、前記小手布団は内部に挿入されている平板状の殻材を綿布で覆った材料からなっていて、かつ前記殻材は前記手首部との連接縁部に向かって先鋭するテーパーを有していることを特徴とするものである。【００１２】  このようにしてなる請求項２記載の武道用小手によれば、小手布団内の殻材の端部を連接縁部に向かってテーパー状にしたことにより、手首部と小手布団の縫い合わせ部及びその近傍である連接部が薄くなり、その分柔らかくなって、手首の外側、すなわち、甲側への曲げ易さも向上する。【００１３】  また本発明の請求項３記載の武道用小手は、請求項１または請求項２いずれかに記載の武道用小手において、前記手首部の前記小手布団との連接縁部において、曲線状の凹みがない場合の仮想線から、曲線状の凹みの最も深い位置までの距離Ｈが１０〜２０ｍｍであることを特徴とするものである。【００１４】  このようにしてなる請求項３記載の武道用小手によれば、手首を種々の方向に曲げ易い武道用小手をより確実を得ることができる。
【発明の効果】
【００１５】  以上のように本発明によれば、手や上腕部の保護はもちろんのこと、竹刀や木銃等の武具を握った状態で、手首が内側方向はいうまでもなく、外側方向、すなわち甲をそらせる力向、さらにはこれらの方向以外の方向にも、より曲げ易く操作性のよい武道用小手を提供することができる。
【発明を実施するための最良の形態】
【００１６】  以下に図を用いて本発明の武道用小手を詳細に説明する。ここで従来技術を示す図６と同じものには同じ符号を付してある。
図１は、本発明の武道用小手の一実施形態例を示す概略斜視図である。
図１に示すように、本発明の武道用小手１は、小手頭２と手の内３からなり手が挿入される頭部４と、この頭部４に連接して縫い合わされ下部側が開放されている手首部５と、手首部５に連接して縫い合わされ開放されている下部６側が小手紐７で結ばれるようになっている小手布団８とを有している。ここで符号９は手首の動きを滑らかにし、かつ指根部等を保護する目的で肉厚帯状に形成されているけらであって、必要により頭部４と手首部５の間の連接部間に帯状に縫い込まれている。また符号１０は飾り糸、符合２０は手首部５と小手布団８とを縫い合わせた部分及びその近傍である連接部を示している。【００１７】  より具体的には、頭部４は親指とそれ以外の４本の指を入れる部分に分かれている。そして小手頭２は、通常、その表面が牛革あるいは鹿革等の革で覆われている。
一方、手の内３は合成皮革あるいは鹿革が張設されて形成されていて、小手頭２と手の内３で袋状に形成された部分に手を挿入するようになっている。また、小手頭２やけら９の内部には相手の竹刀等による打撃を緩和するように、獣毛や化学繊維綿等が充填されている。【００１８】  必要により設けられるけら９を含む頭部４に連接して縫い込まれる手首部５は、主として手の甲と手首を保護する部分で、その内部には獣毛や化学繊維綿等の応力緩衝材が充填され肉厚に形成されている。前述したようにこの手首部５の表面には、通常、飾り糸１０が刺繍されている。この飾り糸１０は必要により設けられるものであるが、単に装飾という意味合いだけでなく、相手の竹刀による打撃も緩和する効果を有し、さらには表面の布地と内部の緩衝材とを一体化する効果も有している。【００１９】  また、手首部５に連接して縫い合わせられている小手布団８は、主として手首から上腕部を保護するもので、内部には板状のフェルト、羊毛毛布等の緩衝材が充填されている。
尚、本発明の武道用小手１にあっては、この緩衝材としてフェルトを用い、これを多少硬めに成形したものを殻材として挿入してある。その上でこのフェルトとこれを覆う綿布とを太目の糸で縫い付け、両者を一体化している。そのため全体として比較的硬くできあがっている。
加えて筒状に形成されている小手布団８の下部６側は開放されていて、この開放両縁部分には小手紐７が掛け渡されている。そして武道用小手１を手に装着したら、小手紐７を締め、結ぶことで武道用小手１を手にしっかりと固定できるようになっている。【００２０】  このようにしてなる本発明の武道用小手１の特徴を、以下図２を用いて詳細に説明することにする。図２は、図１に示す武道用小手１において、手首部５と小手布団８を縫い合わせる前の両者の連接縁部１１近傍の展開形状を示す平面図である。
図２に示すように本発明の武道用小手１の大きな特徴は、以下の２点である。
まず第一点目は、展開形状において手首部５側の小手布団８との連接縁部１１が小手布団８と反対側に曲線状、具体的には、例えば、弧状に凹んでいる点にある。
第二点目は、小手布団８の手首部５との連接縁部１１は、直線状でかつ長さａを有しているのに対して、手首部５側の連接縁部１１は、前述のように内側に（小手布団８と反対側）に凹んでいて、かつその長さが小手布団８の連接縁部１１の長さａよりも短いｂ、すなわち、ａ＞ｂになっている点にある。
このような展開形状を持つ手首部５と小手布団８の各連接縁部１１を、その両端ＡとＣそしてＢとＤの各位置が各々一致するように幅方向全長に亘って連接縁部１１に沿って縫い合わされている。ここで長さｂとは、凹んでいる曲線状の連接縁部１１の長さである。換言すると、ＡとＢ間の弧の長さをいう。
ここで「両端ＡとＣそしてＢとＤの各位置が各々一致するように」という意味は、「両端ＡとＣそしてＢとＤの各位置が各々ほぼ一致するように」という程度の意味である。【００２１】  このように本発明の武道用小手１にあっては、小手布団８の手首部５との連接縁部１１の方は直線状でかつ長さａを有していて、一方、手首部５の小手布団８との連接縁部１１はその長さが小手布団５の連接縁部１１の長さａよりも短いｂであって、かつ展開形状において小手布団８と反対側に曲線状に凹んでいるものを、各々の連接縁部１１の両端が一致するように幅方向全長に亘って連接縁部１１に沿うように縫い合わされているため、主としてその長さの違いから小手布団８側の連接縁部１１が手首部５側に絞り込まれる。【００２２】  その結果、図３に示すように、小手布団８側の手首部５との縫い合わせ部分、すなわち、縫い合わせた位置及びその近傍である連接部２０において、手首部５側の内径よりも小手布団８側の内径が若干大きくなる。そのため手首を外側に曲げた際、手首の周辺の内部空間（連接部２０の小手布団８側の内部空間）が従来のものより広くなっている。
尚、図３は手首部５と小手布団８の縫い合わせ部の一部拡大側面図である。
このように小手布団８側の手首周辺の内部空間が広くなった結果、手首の外側への曲げの自由度が高まり、かつ手首を外側に曲げた際、小手布団８の連接縁部１１も手の甲に当り難くなった、と推測される。
いずれにせよ本発明の武道用小手１によれば、従来のものより手の内側、外側のみならず種々の方向に手首の自由度が増し、より竹刀等の操作性が向上した。【００２３】  ところで、本発明の武道用小手１を複数個製造してみた結果から、手首部５側の連接縁部１１の両端Ａ、Ｂを結んだ直線、すなわち、これを仮想線１５とすると、この仮想線１５から、連接縁部１１の一番凹んでいる位置までの距離Ｈを１０ｍｍ〜２０ｍｍ、特には１５ｍｍ程度にするのが最適であった。またこのときの手首部５と小手布団８の連接縁部１１の長さの差、すなわちｂとａの差は、一例ではａ−ｂ＝１５ｍｍくらいが良好であった。
因みに、距離Ｈが１０ｍｍ以下でａ−ｂの差が小さくなると、図３に示す連接部２０における小手布団８側の内部空間が狭くなって、手首を外側に曲げ難くなり、かつ手首を外側に曲げた際、小手布団８側の連接縁部１１が手の甲に当って手首の動きを規制し易くなって、本発明の武道用小手１の効果が少なくなる。
他方、距離Ｈが２０ｍｍ以上になって、かつａ−ｂの差が大きくなると、手首部５と小手布団８を縫い合わせるための縫製作業が困難になり、かつ縫製糸に無理な力が加わって糸切れの原因になってしまう。【００２４】  図４は本発明の武道用小手１の別の実施形態例に用いる小手布団８の、手首部５との連接縁部１１の一部であって、図２におけるＸ−Ｘにおける拡大縦断面図を示している。
図４に示すように、この実施形態例における小手布団８は、その内部に平板状の、例えば、平板状に加工されたフェルトの如き殻材１６を２枚重ね、これを綿布１７で覆った材料からなっていて、かつこの殻材１６は、その先端部に連接縁部１１に向かって先鋭するテーパー１８を有している。
ここで符合１９（点線）は、手首部５と小手布団８を糸で縫い合わせ位置を示している。また、前記連接部２０とは、より具体的に説明すると、この縫い合わせ位置１９を含むその近傍部分をさすものである。【００２５】  また、図４に示す手首部５と小手布団８の縫い合わせ位置１９から右惻、すなわち、小手布団８側において、縫い合わせ位置１９から右にテーパー１８を含みつつ、距離にして９ｍｍ〜２０ｍｍ程度、縫製糸で縫い合わせない部分を設けておくとよい。このようにテーパー１８を含む部分に縫製しない部分を形成すると、この連接部２０近傍の柔軟性が高まる。
このように小手布団８の連接縁部１１にテーパー１８を設けておくと、小手布団８の連接縁部１１の先端部が薄くなった分、より柔軟になって、手首部５と小手布団８のそれぞれの連接縁部１１近傍を縫い合わせた後の連接部２０が全体的に柔軟性を増し、手首が外側に曲げ易くなるなどその自由度がさらに向上する。また、手首部５と小手布団８とを縫い合わせ位置１９で縫い合わせる際の縫製作業もよりやり易くなる。【００２６】  ところで、殻材１６の端部に設けたテーパー１８は、図４に示すように小手布団８の外側から内側に向かって角度を付けたものが最適であるが、内側から外側に向かうテーパーであってもよいし、両側に角度を付けた両面テーパーであってもよいことはいうまでもない。また、テーパー開始点からテーパー先端までの長さは１０ｍｍ〜２０ｍｍ前後が好ましい。尚、できあがった武道用小手１の外観は、図１に示すものと同じである。
さらには、図４においては殻材１６を２枚重ねているが、１枚であってもよいし、２枚以上であってもよい。要は殻材１６の材質を決めた上で、その厚さ、さらにはその柔軟性等を考慮して何枚にするか決めればよい。
ところでここでいうテーパーという意味には、概して殻材１６が薄いので、例えば、２枚の殻材１６を連接縁部１１の先端部で下の殻材１６を先端まで、上の殻材１６を先端から、例えば、１０ｍｍ前後後退させた位置で重ねるようにした形状のものも含むものとする。【００２７】  図５は本発明のさらに別の実施形態例を示す武道用小手１の概略斜視図である。
この実施形態例の特徴は、頭部４にあって、竹刀や木銃等の武具を握る部分における親指と残りの指を入れる部分における谷の部分とけら９との距離Ｌを、通常よりも短くした点にある。具体的には６ｍｍ〜２０ｍｍくらいの距離にした点にある。
このように距離Ｌを短くすると、親指を覆う部分と残りの４本の指を覆う部分の握りがより容易に行えるようになり、握りの自由度が高まり、竹刀や薙刀あるいは木銃等の武具の操作性がさらに一層向上する。因みに、６ｍｍ以下では距離が短すぎて縫製が困難になる。【００２８】  以上に述べたように本発明によれば、手や上腕部の保護はもちろんのこと、竹刀や木銃等の武具を握った状態で、手首が内側方向は言うまでもなく、外側方向、すなわち甲をそらせる方向も含め、さらにはこれらの方向以外の方向にもより曲げ易くなり、操作性のよい武道用小手を提供することができる。
【図面の簡単な説明】
【００２９】
【図１】  本発明の武道用小手の一実施形態例を示す概略斜視図である。
【図２】  図１に示す武道用小手において、小手頭と小手布団を縫い合わせる前の両者の連接縁部近傍の展開形状を示す一部平面図である。
【図３】  手首部と小手布団の縫い合わせ部の一部拡大側面図である。
【図４】  本発明の武道用小手の別の実施形態例に用いる小手布団の手首部との連接縁部の一部を示すもので、図２のＸ−Ｘにおける拡大縦断面図である。
【図５】  本発明のさらに別の実施形態例を示す武道用小手の概略斜視図である。
【図６】  従来の武道用小手における小手布団の手首部との連接縁部の展開形状を示す一部平面図である。
【符号の説明】
【００３０】１  武道用小手
４  頭部
５  手首部
７  小手紐
８  小手布団
９  けら
１１  連接縁部
１５  仮想線
１６  殻材
１８  テーパー
２０  連接部
【図１】
2010099425.tif 000003
【図２】
2010099425.tif 000004
【図３】
2010099425.tif 000005
【図４】
2010099425.tif 000006
【図５】
2010099425.tif 000007
【図６】
2010099425.tif 000008